(57)【要約】【課題】金型に使用される複合ゲージに係り、投入検知手段と、シートサポート手段と、シートガイド手段と複数個のゲージについて、部品点数の軽減と、取付工数の削減を図ることが課題である。【解決手段】投入検知手段と、シートサポート手段と、シートガイド手段とを、一つのゲージ本体に設けた複合ゲージ１とするものである。  【選択図】  図１
2005059073.tif 000002
【特許請求の範囲】
【請求項１】
投入検知手段と、シートサポート手段と、シートガイド手段とを、一つのゲージ本体に設けたこと、
を特徴とする複合ゲージ。
【請求項２】
ゲージ本体が、金型への取付手段を有した基台と、該基台に立設された支持部材とからなり、該支持部材に投入検知手段における検知レバー及びシートサポート手段における支持プレートが揺動自在に軸支され、前記支持プレートにおける支持部が当該支持部材の前方に設けられたシートガイド手段の一部を開口させた開口部から挿通させて前方に突出されていること、
を特徴とする請求項１に記載の複合ゲージ。
【発明の詳細な説明】
【技術分野】
【０００１】
本発明は、金型に使用される複合ゲージに係り、詳しくは、自動車等のパネルの加工を行う金型において、該金型の一部に固定され、金型に投入されるワークの有無やガイド等の作用をする複合ゲージに関する。
【背景技術】
【０００２】
従来において、比較的大きな金属板を曲げ加工する、上型（移動金型）と下型（固定金型）から構成される金型には、図７に示すように、前記金属板であるワークの投入を正確に検知する投入検知治具、ワークを金型に略水平に保持するシートサポート治具、及び、前記ワークの下型への投入に際して所定の位置に揃えるためのガイド用治具が設けられている。
【０００３】
前記投入検知治具は、例えば、下型に２箇所に設けられ、前記シートサポート治具は、５〜８箇所に設けられ、前記ガイド用治具は、投入検知治具とシートサポート治具とにおける当該治具の一部に上方に傾斜させた延設部によって兼用させて設けられている。  
【特許文献１】特開２００３−１４５２３６号公報
【発明の開示】
【発明が解決しようとする課題】
【０００４】
しかしながら、前記各治具は各々別々に用意されて、下型に別々の箇所にボルトなどで固定されている。よって、各治具をそれぞれ用意しなければならず、部品点数が増えて不経済であるとともに、金型の段取りにおいても、多くの取付スペースが必要となり、更に、取り付けに手間が掛かる。本発明に係る複合ゲージは、このような課題を解決するために提案されたものである。
【課題を解決するための手段】
【０００５】
上記課題を解決するために、本発明に係る複合ゲージの要旨は、投入検知手段と、シートサポート手段と、シートガイド手段とを、一つのゲージ本体に設けたことである。
前記ゲージ本体が、金型への取付手段を有した基台と、該基台に立設された支持部材とからなり、該支持部材に投入検知手段における検知レバー及びシートサポート手段における支持プレートが揺動自在に軸支され、前記支持プレートにおける支持部が当該支持部材の前方に設けられたシートガイド手段の一部を開口させた開口部から挿通させて前方に突出されていることを含むものである。
【０００６】
本発明に係る複合ゲージによれば、投入検知手段と、シートサポート手段と、シートガイド手段とが、一つのゲージ本体にコンパクトに組み込まれて、部品点数が削減し、金型に取り付ける手間が削減される。また、金型への取付スペースが少なくて済むものである。
【０００７】
更に、シートサポート手段の支持プレートにおける支持部が当該支持部材の前方に設けられたシートガイド手段の一部を開口させた開口部から挿通させて前方に突出されていることで、組み付けスペースを有効活用することができて、治具全体を小型化させることができる。
【発明の効果】
【０００８】
上記説明したように、本発明に係る複合ゲージは、投入検知手段と、シートサポート手段と、シートガイド手段とを、一つのゲージ本体に設けたので、コンパクトにまとめられて原価低減となり、部品点数が減少して部品管理が容易となると言う優れた効果を奏するものである。また、治具の軽量化となり、金型に取り付けるスペースが少なくて済み、その取付工数も低減されると言う優れた効果を奏するものである。
【０００９】
前記ゲージ本体が、金型への取付手段を有した基台と、該基台に立設された支持部材とからなり、該支持部材に投入検知手段における検知レバー及びシートサポート手段における支持プレートが揺動自在に軸支され、前記支持プレートにおける支持部が当該支持部材の前方に設けられたシートガイド手段の一部を開口させた開口部から挿通させて前方に突出されているので、三つの治具をコンパクトに構成することができる。
【発明を実施するための最良の形態】
【００１０】
次に、本発明に係る複合ゲージ１について、図面を参照して説明する。複合ゲージ１は、図１に示すように、ゲージ本体２が、金型（下型）への取付手段を有した基台３と、該基台３に一対の鋼製板を立設した支持部材４とからなる。
【実施例１】
【００１１】
前記支持部材４の一方の鋼製板の側壁には、図２に示すように、ボルト５ａによって取付ブラケット５が固着される。該取付ブラケット５の上部側壁に軸５ｂが突設され、該軸５ｂに検知レバー６が揺動自在に軸支されている。
【００１２】
前記検知レバー６は、その中央部から先端部にかけて湾曲したくちばしのような当接部６ａと、該当接部６ａの側壁に近接板６ｂが固着され、後方には、前記軸５ｂが挿通される貫通孔６ｃを中心とする揺動運動をした際の、復帰用の錘６ｄが設けられている。
【００１３】
前記取付ブラケット５には、検知スイッチ取付板５ｃが垂設され、その検知スイッチ取付板５ｃに設けられた取付孔に検知スイッチ７がナット７ａで取り付けられている。前記検知スイッチ７の後端部に、電気信号を伝達するコネクター７ｂが接続されている。これにより、投入検知手段が構成されるものである。
【００１４】
前記支持部材４には、図３に示すように、シートサポート手段であるサポートプレート８が揺動自在にして軸支されている。前記支持部材４の横架された支持軸４ａが、当該サポートプレート８の貫通孔８ａに貫通して挿通されるものである。このサポートプレート８の先端側に、ワークシートが載置される平坦部を有する載置部８ｂがある。そして、後端側には、ワークシートの重量を支えるとともに、上型に押圧されたときに回転して逃げた前記載置部８ｂを元の位置に復帰させるための、カウンターウエイト部８ｃが設けられている。ワークシートの重量により、後方に錘が付加されることもある。
【００１５】
前記サポートプレート８が支持軸４ａを中心に揺動するので、カウンターウエイト部８ｃが揺動して元に戻るときに、位置決め作用と衝撃緩衝作用とのため、例えばウレタン製の位置決め部材９が、基台３から台座３ａを介して支持されて設けられている。
【００１６】
また、図３に示すように、支持部材４の前方側に、ワークシート用のガイド手段であるガイド板１０が固着されている。金型に吸着装置等で搬入されたワークシートを前記載置部８ｂに落とし込んでセットする際に、該ワークシートの縁部に当接して下方向へガイドするものである。
【００１７】
前記ガイド板１０には、ガイド用の傾斜ガイド部１０ａと、それに連なる垂直ガイド部１０ｂとで成り、前記垂直ガイド部１０ｂには、大きな開口部１０ｃが穿孔されている。
【００１８】
前記開口部１０ｃには、前記サポートプレート８の載置部８ｂが後方から前方に貫通して突出されるものである。
【００１９】
このようにして、本発明に係る複合ゲージ１には、シートサポート手段と、シートガイド手段とを、一つのゲージ本体２に設けて成るものである。これを、図４に示すように、自動車用の金属製薄板を加工する金型の、例えば、下型１１の所要箇所にボルトで固定して取り付ける。
【００２０】
なお、この複合ゲージ１は少なくともワーク搬入側手前の２箇所に取り付けて、他の箇所には、検知センサーの無い、シートサポート手段とシートガイド手段とを有して成るゲージ１２を取り付けるようにする。
【００２１】
そして、この複合ゲージ１によれば、図５乃至図６に示すように、ワークシート１３が下型１１に投入されると、検知レバー６の当接部６ａに当接して、該検知レバー６が軸５ｂを中心にして後方（時計方向）に回転する。よって、同時に、近接板６ｃが検知スイッチ７の近接スイッチを作動させて、コネクター７ｂを介して制御装置に伝達される。これにより、ワークシート１３の投入の有無が判別される。
【００２２】
また、ワークシート１３が、ガイド板１０に案内されて降下し、複数個の載置部８ｂの水平な平坦部に載置されると、ワーク搬入装置が金型から待避して、上型が押し下げられる。すると、図６に示すように、上型の押圧力で前記載置部８ｂが、支持軸４ａを中心に後方（反時計方向）に回転されて逃げる。ワークシート１３が、前記上型によって更に降下され該上型と下型とで挟装されると、当該ワークシート１３が加工されて、その縁部が端から中央部へ移動して前記載置部８ｂからはずれる。
【００２３】
前記載置部８ｂの押圧力が解除されたことにより、前記サポートプレート８が、カウンターウエイト部８ｃの重量によって自動的に元の状態に戻る。そして、位置決め部材９によって、当該サポートプレート８が位置決めされるものである。なお、複合ゲージ１には、図１に示すように、ワークシート１３が加工される際の、シート１３縁部のガイドをする、曲線部１４ａを有するシートガイド部材１４が、支持部材４に着脱自在にボルト止めされて設けられている。
【図面の簡単な説明】
【００２４】
【図１】本発明に係る複合ゲージ１の組立斜視図である。
【図２】同本発明に係る複合ゲージ１における、投入検知手段の組立構成を説明する分解斜視図である。
【図３】同本発明に係る複合ゲージ１における、シートサポート手段の組立構成を説明する分解斜視図である。
【図４】同本発明に係る複合ゲージ１を、下型１１に取り付けた状態を示す説明図である。
【図５】投入検知手段の作用状態を説明する説明図である。
【図６】シートサポート手段の作用状態を説明する説明図である。
【図７】従来例に係る、下型に、投入検知手段と、シートサポート手段と、シートガイド手段とを、それぞれ別個に取付けた状態を示す説明図である。
【符号の説明】
【００２５】
１        複合ゲージ、        ２          ゲージ本体、
３        基台、              ４          支持部材、
４ａ      支持軸、            ５          取付ブラケット、
５ａ      ボルト、            ５ｂ        軸、
６        検知レバー、        ６ａ        当接部、
６ｂ      近接板、            ７          検知スイッチ、
８        サポートプレート、  ８ａ        貫通孔、
８ｂ      載置部、            ８ｃ        カウンターウエイト部、
９        位置決め部材、      １０        ガイド板、
１０ａ    傾斜ガイド部、      １０ｂ      垂直ガイド部、
１０ｃ    開口部、            １１        下型、
１２      ゲージ、            １３        ワークシート、
１４      シートガイド部材。
【図１】
2005059073.tif 000003
【図２】
2005059073.tif 000004
【図３】
2005059073.tif 000005
【図４】
2005059073.tif 000006
【図５】
2005059073.tif 000007
【図６】
2005059073.tif 000008
【図７】
2005059073.tif 000009